(57)【要約】      （修正有）【課題】前輪だけ載せて引き返した後、空車状態となった駐輪ラックがスライド可能となり、かつ構造がシンプルなスライド防止機構付駐輪装置を提供する。【解決手段】後輪収容部の後端開口部２２ｃが自転車前輪の自重により、駐輪姿勢になると、第一スライド防止部材５がガイドレール１ａを下部から押付け、その摩擦力によりスライドを防止するが、その場所から自転車を後退あるいは持ち上げて空車状態となっても、駐輪ラック２の重量バランスで自然と空車姿勢となり、第一スライド防止部材５もガイドレール１ａから離れスライド可能となることを特徴とする。【選択図】図３
2017074937.tif 000002
【特許請求の範囲】
【請求項１】
ガイドレールと、前記ガイドレールに沿ってスライドするスライダーと前記スライダーに固定された駐輪ラックと、前記駐輪ラックのスライドを防止するスライド防止機構とを備え、前記駐輪ラックは、前側の前輪収容部と、前記前輪収容部の後側に連続して前記前輪収容部まで駐輪する自転車の前輪を案内するとともにその後輪を収容する後輪収容部とを有し、
前記スライド防止機構は、
前記スライダー前側に固定された第一スライド防止部材と、前記駐輪ラックに固定される固定部材と、前記固定部材に対し一方向と前記一方向と逆方向の他方向とに摺動可能に支持される摺動部材と、前記摺動部材に付属する第二スライド防止部材の二種類があり、
前記スライダー前側に固定されたスライド防止部材が、前記駐輪ラックと前記スライダーの後側上部ガイドローラーを支点として、自転車の前輪の自重による前記後輪収容部の下降で有効となるのと、
前記支点直近の前記スライダー前側に固定された第一スライド防止部材の押付け不足による不要なスライドを防止するために、前記摺動部材に付属する第二スライド防止部材を自転車の前輪が前記支点直近以降を通過する際に、作動させる踏み板部材と、
前記摺動部材と付属する第二スライド防止部材と前記踏み板部材を自転車の前輪が通過後、復帰させる付勢手段との組合せで、自転車の前後輪載置完了後はスライドを可能とするとともに、
どの位置から駐輪を中止し、自転車を後退あるいは持ち上げて空車状態にしてもスライドが可能となるスライド防止機構付駐輪装置。
【発明の詳細な説明】
【技術分野】
【０００１】  この発明は、駐輪装置のスライド式駐輪ラックが自転車を載置する際に不用意にスライドすることを防止するスライド防止機構付駐輪装置に関する。
【背景技術】
【０００２】  従来、駐輪スペースを有効利用するために自転車を載置する駐輪ラックをレールに沿ってスライド可能に構成された駐輪装置が広く利用されている。かかる駐輪装置では自転車を載置した状態や空の状態では、より多くの自転車を駐輪可能にとするためにスライド可能にしてラックの間隔を詰められるようにするとともに、自転車を出し入れする際には、スライド不能にして安全に自転車を出し入れできるように構成されている。（例えば、特許文献１）【０００３】  この特許文献１の駐輪装置は、自転車を乗り降りさせる際に前輪および後輪が駐輪ラックの入口部から前輪収容部の手前までにわたる摺動部材駆動手段を踏むとロックピンが駆動し不要なスライドを防止し、つぎに前輪収容部のロックピン駆動手段を前輪が押えることにより、ロックピンを戻しスライドを可能とする。
【先行技術文献】
【特許文献】
【０００４】
【特許文献１】特開２０１５−１０７６７９
【発明の概要】
【発明が解決しようとする課題】
【０００５】  しかし、特許文献１の駐輪装置は、動作的には問題がないと思われるが、駐輪装置としては部品点数が多く、コストが掛り過ぎまた、メンテナンス的にも実用には適さないのではと考えられる。【０００６】  本発明は、上記課題を鑑みてなされたものであり、部品点数を大幅に削減し、動作的には、自転車を駐輪ラックに乗降途中ではスライドを防止し、実車および空車状態ではスライドを可能としながらもコストダウンを図ったスライド防止機構付駐輪装置の提供を目的とする。
【課題を解決するための手段】
【０００７】  上記課題を解決するためになされた発明は、ガイドレールと、そのガイドレールに沿ってスライドするスライダーとそのスライダーに支持されたガイドローラーと前記ガイドレール間には若干の隙間を作り、前記スライダーに固定された駐輪ラックと前記スライダー及び前記駐輪ラックのスライドを必要な時のみ防止するスライド防止機構とを備え、そのスライド防止機構はスライダーに固定されたスライド防止部材と、駐輪ラックに支持されたスライド防止部材の２種類があり、前記駐輪ラックに支持されたスライド防止機構はロッド、コイルばね及びスライド防止部材とそれらを支持する支持部材から構成される。
自転車を駐輪ラックに載せるとき、駐輪ラックの入口に近い部分では自転車の前輪の重量により、入口側上部ガイドローラーを支点として駐輪ラックの入口側が下がり、前輪収容部側が上がり、前記スライダーに固定されたスライド防止部材が前輪収容部側ガイドレールの下部を押付け、スライドを防止する。しかし駐輪ラックを前輪が前進し、支点に近づくにつれてスライド防止部材の押付け圧力が徐々に低下し、スライド防止機能が働きにくくなる。前記を防止するために駐輪ラックの中程から前輪収容部の手前までスライド防止部材用ロッド押え板を配置し、その上を前輪が通過する間に最初のスライド防止部材は働きを停止するが、駐輪ラックに支持されたスライド防止部材が作動し始め、スライド防止機能を維持する。前輪収容部に前輪が収容されると入口側ガイドレールの上部を押付け、スライドを防止していたスライド防止部材も働きを停止し、完全実車状態では駐輪装置は自由にスライド可能となる。また自転車を降ろす時も降ろしている間だけスライド防止機能が働き、空車状態になれば再びスライド可能となる。【０００８】  さて本発明は特許文献１に比較して作動方法も全く違い、かつ部品点数が少ないにも拘らずスライド防止機構付駐輪装置に求められる機能はすべて満たしている。
【発明の効果】
【０００９】  特許文献１のように、本発明のスライド防止機構付駐輪装置もどのような形で駐輪を中止してもまた開始しても何の問題もなく作動する。また特許文献１に比べ部品点数も少なく、相当なコスト削減が期待でき、ユーザーにも安価で供給することが可能である。
【図面の簡単な説明】
【００１０】
【図１】本発明のスライド防止機構付駐輪装置に自転車を載置した状態を示した斜視図である
【図２】本発明のスライド防止機構付駐輪装置の空車状態を示した側面視断面図である。
【図３】本発明のスライド防止機構付駐輪装置に自転車の前輪を載せ始めた状態を示した側面視断面図である。
【図４】本発明のスライド防止機構付駐輪装置に自転車の前輪がスライド防止部材用ロッド押え板の上を通過している状態を示した側面視断面図である。
【図５】本発明のスライド防止機構付駐輪装置に自転車の前後輪とも、所定の位置に載置した状態を示した側面視断面図である。
【発明を実施するための形態】
【００１１】  以下、適宣図面を参照しながら本発明の実施形態について詳述する。図１は、本発明の一の実施の形態に係る駐輪装置１００に自転車Ａを載置した様子を示している。駐輪装置１００はガイドレール１と、駐輪ラック２と、スライダー部３とスライダー部に取付けられたガイドローラーとスライド防止部材とを主に備えている。
【００１２】  ガイドレール１は、２本の平行なアングル材１ａ、１ｂからなり、水平に延びるよう駐輪場の床面に１ｃにより固設されている。
【００１３】  駐輪ラック２は、駐輪する自転車Ａの前輪Ｆを収容する前輪収容部２１と、自転車Ａの後輪Ｒを収容する後輪収容部２２と、その下方に固設されたガイドレール１上をスライドするスライダー３とを備えている。
【００１４】  前輪収容部２１は、図１に示すように、線材を曲げ加工して形成された前輪挟持部２１ａと、Ｕ字に形成された帯状部材からなる前輪受け部２１ｂとを有し、前輪挟持部２１ａは、後方の開口部２１ｃから前輪Ｆを導入するとともに上下２箇所のＵ字状部で前輪Ｆの前端を受け止め、前輪受け部２１ｂは、前輪Ｆを下方から支持するよう構成されている。
【００１５】  後輪収容部２２は、コの字チャンネルの解放側を上にして前輪収容部２１の開口部２１ｃに連設され、駐輪する際には自転車Ａの前輪Ｆを後端開口部２２ｃから前端開口部２２ｄまで誘導するとともに、駐輪を完了した際には後輪Ｒを収容する。後輪収容部２２の底部には蝶番２２ｂにて、上下摺動ロッド４ｂの上部を前輪が通過時に押える踏み板２２ａが前端開口２２ｄから上下摺動ロッド４ｂを超えた位置かつ、後輪Ｒが踏むことのない位置まで設置されている。
【００１６】  スライダー３は、直方体の箱形をなし、駐輪ラックを固定し、上下８か所に取付けられたガイドローラーがガイドレール上をスライドする。また第一スライド防止部材５も固定されている。
【００１７】  スライド防止機構４は、図２に示すように、固定部材４ｄと、上下摺動ロッド４ｂと、第二スライド防止部材４ａと上下摺動ロッドにコイルバネからなる付勢手段４ｃとを主に備えている。
【００１８】  踏み板２２ａは断面形状が後輪収容部２２より一回り小さなコの字チャンネルで、前端開口部２２ｄで蝶番２２ｂによって支持されている。前輪Ｆが踏み板２２ａを通過時に上下摺動ロッド４ｂを押し下げる。その時、上下摺動ロッド４ｂの下端に取付けられた第二スライド防止部材４ａも下降し、レールと摩擦を生じさせる。前輪Ｆ通過後はコイルばねからなる付勢手段４ｃにより押し上げられ、第二スライド防止部材４ａもレールから離れ、スライド可能となる。
【００１９】  つぎに、第１実施形態に係る駐輪装置１００のスライド防止機構４の作用について説明する。図２は、空車状態における駐輪装置１００を示している。駐輪装置１００の空車状態においては、図２に示すように、第二スライド防止部材４ａおよび第一スライド防止５はガイドレール１ｂおよびガイドレール１ａより離れており、これによる摩擦は０となっている。したがって、空車状態における駐輪装置１００は抵抗なくスライドが可能となる。なお、前輪Ｆの重量の有無でスライダー前側が上下し第一スライド防止部材５が作動するよう下部のガイドローラー７ａとガイドレール１ａの隙間をガイドローラー７ｂとガイドレール１ｂとの隙間より大きくとってある。
【００２０】  この状態から駐輪装置１００に自転車Ａを駐輪しようとして、自転車Ａの前輪Ｆを後輪収容部の後端開口部２２ｃへ挿入すると、図３に示すように前輪Ｆの自重により後輪収容部２２が押下げられガイドローラー６ｂを支点として、ガイドローラー７ａとガイドレール１ａの隙間により、ガイドローラー６ａ側が持ち上がり第一スライド防止部材５がガイドレール１ａの下部を押付け、その摩擦力により不要なスライドを防止する。
【００２１】  さらに自転車Ａを前輪収容部２１に向けて押入れ、前輪Ｆが支点となっているガイドローラー６ｂに近づくとてこの原理により重量が徐々に不足し、第一スライド防止部材５の押付け力低下に伴い摩擦力も低下し出して、徐々にスライド防止が困難となってくる。
【００２２】  そこで第一スライド防止部材５からバトンタッチの形で押付け力低下を防止するために踏み板２２ａを設け、前輪Ｆが踏み板２２ａを通過時に上下摺動ロッド４ｂを押付けることにより、第二スライド防止部材４ａの押付け力により全体として押付け力の低下を招くことなく、スライドを防止できる。また踏み板２２ａの長さは後輪Ｒが乗ることがない位置までとする。
【００２３】  前輪Ｆが前輪収容部２１に完全に入り込めば、踏み板２２ａは上下摺動ロッドを押付けることなくまた、駐輪ラック２の後端開口部２２ｃの高さは自転車Ａの重量バランスにより空車状態と同じ高さとなり、第二スライド防止部材４ａおよび第一スライド防止部材５はガイドレールを押付けることなく、駐輪ラック２はスライドが可能となる。
【００２４】  次に、駐輪ラック２に前輪Ｆだけ載置して引き返す場合について説明する。まず駐輪ラック２に、自転車Ａの前輪Ｆを載置すると、スライド防止機構４は、図３に示した状態となる。即ち、図３に示すように前輪Ｆの自重により後端開口部２２ｃは下降し、逆にガイドローラー６ａ側が上昇し、スライド防止機構の第一スライド防止部材部材５も上昇し、レール１ａを押付け、スライドを防止した状態となる。
【００２５】  このあと、駐輪を中止して自転車Ａを後退あるいは持ち上げても、自転車Ａの前輪Ｆが後端開口部２２ｃから離脱すると、スライドが可能となる。このあと再度、自転車Ａを駐輪しようとした際も、上述の初めて自転車Ａを駐輪しようとする際と同様に、駐輪途中においての、駐輪ラック２のスライドが防止される。
【００２６】（その他の実施形態）
本発明の駐輪装置は、上記の実施形態に限らず、例えば、スライド防止部材がレールとの摩擦によってスライドを防止しているが、床面や別の部材との摩擦によるスライド防止を図ってもよいし、レール押付け部材が上下動だけでなく、前後や左右の動きによりスライドの防止を図ってもよい。またレールやその他の部材に適当な間隔で連続した穴をあけたり、凹みを付けたりして、レール押付け部材の代わりにロックピンによる拘束でスライドの防止を図ってもよい。
【００２７】  レールは、アングル等の棒状部材に限らず、板状部材を板金加工により、形成したものを用いてもよいし、２本に限らず１本でも３本以上で構成してもよい。各付勢手段はコイルばねに限らず各種のばねを用いることができ、ばねに限らず油圧、空気圧や錘を用いた付勢手段のほか、公知の付勢手段を適宜用いることができる。駐輪ラックは前輪収容部と後輪収容部を一体的に構成してもよい。
【符号の説明】
【００２８】１００    駐輪装置
１        レール
１ａ      前側レール
１ｂ      後側レール
１ｃ      レール固設部材
２        駐輪ラック
２１      前輪収容部
２１ａ    前輪挟持部
２１ｃ    後方開口部
２２      後輪収容部
２２ａ    踏み板
２２ｃ    後端開口部
２２ｄ    前端開口部
２２ｂ    蝶番
３        スライダー
４        スライド防止機構
４ａ      第二スライド防止部材
４ｂ      上下摺動ロッド
４ｃ      付勢手段（コイルばね）
４ｄ      固定部材
５        第一スライド防止部材
６ａ      前側上部ガイドローラー
６ｂ      後側上部ガイドローラー
７ａ      前側下部ガイドローラー
７ｂ      後側下部ガイドローラー
【図１】
2017074937.tif 000003
【図２】
2017074937.tif 000004
【図３】
2017074937.tif 000005
【図４】
2017074937.tif 000006
【図５】
2017074937.tif 000007